(57)【要約】【課題】着用者の部位ごとによりフィットし易く、着用者に与える不快感を軽減することができる吸収性物品を提供する。【解決手段】吸収性物品１は、排泄口当接域Ｓ１と、排泄口当接域よりも後側で、幅方向Ｗに膨らんだヒップフラップ４を有する後側域Ｓ３と、少なくとも排泄口当接域から後側域にわたる領域に配置される吸収体３０と、吸収体を複数の区画４０に分ける複数の溝４２と、を有する。吸収性物品１は、排泄口当接域Ｓ１よりも後側、かつヒップフラップ４の最大幅の位置に相当する第２位置Ｐ２よりも前側で、幅方向における吸収性物品の幅が最も狭い第１位置Ｐ１を有する。第１位置上の区画の前後方向Ｌに沿った長さが、第２位置上の区画の前後方向Ｌに沿った長さよりも小さい。複数の溝４２のうちの１つとしての中心溝４２ａは、後側域Ｓ３において、中心線ＣＬに沿って設けられている。【選択図】図１
2017086599.tif 000002
【特許請求の範囲】
【請求項１】
互いに直交する前後方向及び幅方向と、
着用者の排泄口と対向する排泄口当接域と、
前記排泄口当接域よりも後側で、前記幅方向に膨らんだヒップフラップを有する後側域と、
少なくとも前記排泄口当接域から前記後側域にわたる領域に配置される吸収体と、
少なくとも前記排泄口当接域から前記後側域にわたる領域において、前記吸収体を複数の区画に分ける複数の溝と、を有する吸収性物品であって、
前記吸収性物品は、前記排泄口当接域よりも後側、かつ前記ヒップフラップの最大幅の位置よりも前側で、前記幅方向における前記吸収性物品の幅が最も狭い第１位置と、前記ヒップフラップの最大幅の位置に相当する第２位置と、を有し、
前記第１位置上の前記区画の前記前後方向に沿った長さが、前記第２位置上の前記区画の前記前後方向に沿った長さよりも小さく、
前記複数の溝のうちの１つとしての中心溝は、前記後側域において、前記幅方向における前記吸収性物品の中心を結ぶ中心線に沿って設けられている、吸収性物品。
【請求項２】
前記第１位置上の前記区画の面積が、前記第２位置上の前記区画の面積のよりも小さい、吸収性物品。
【請求項３】
前記吸収性物品は、前記第１位置と第２位置との中間に位置する第３位置を有し、
前記第１位置上の前記区画の前記前後方向に沿った長さが、前記第３位置上の前記区画の前記前後方向に沿った長さよりも小さく、
前記第３位置上の前記区画の前記前後方向に沿った長さが、前記第２位置上の前記区画の前記前後方向に沿った長さよりも小さい、請求項１又は２に記載の吸収性物品。
【請求項４】
前記吸収体よりも非肌面側に設けられた非肌面シートと、
前記非肌面シートの非肌面側に設けられた粘着領域と、を有し、
前記粘着領域は、前記排泄口当接域及び前記後側域で、前記第１位置上の前記区画を避けて設けられている、請求項１から３のいずれか１項に記載の吸収性物品。
【請求項５】
前記吸収性物品は、前記吸収性物品を折り畳むための複数の折り線を有し、
前記複数の折り線のうちの最も後側に位置する折り線は、前記後側域において、前記溝上を通っている、請求項１から４のいずれか１項に記載の吸収性物品。
【請求項６】
前記吸収体は、前記後側域において前記中心溝を挟んで両側に設けられた一対の長手圧搾部を有する、請求項１から５のいずれか１項に記載の吸収性物品。
【請求項７】
前記吸収体は、前記排泄口当接域において前記前後方向に沿って延び、前記中心線を挟んで両側に設けられた一対の前側圧搾部を有し、
前記前側圧搾部と前記長手圧搾部は、前記第１位置上の前記区画のところで分断されている、請求項６に記載の吸収性物品。
【請求項８】
前記吸収性物品は、少なくとも前記第１位置上の前記区画に隣接する前記幅方向に沿った溝上に設けられた圧着部を有する、請求項１から７のいずれか１項に記載の吸収性物品。
【発明の詳細な説明】
【技術分野】
【０００１】
本発明は、例えば生理用ナプキンのような吸収性物品に関する。
【背景技術】
【０００２】
特許文献１は、表面シート、裏面シート及び吸収体を備えた生理用ナプキンを開示している。吸収体は、表面シートと裏面シートとの間に設けられている。吸収体は、相対的に坪量が高い高坪量部と、高坪量部に隣接して相対的に坪量が低い低坪量部と、を有している。低坪量部は、生理用ナプキンの長手方向及び幅方向に、直線状に複数形成されている。高坪量部は、これら直線状の低坪量部で区画された部位に相当する。複数の高坪量部の夫々は、吸収体に縁に位置するものを除き、平面視において長方形状となっている。吸収体の高坪量部は、吸収体に縁に位置するものを除き、互いに同形状及び同サイズである。これにより、特許文献１では、排泄液を素早く吸収・拡散し、装着者の濡れに起因する不快感を解消することができ、且つ防漏溝を有するにもかかわらず、適度な柔軟性を有し優れたフィット性が得られるとされている。
【先行技術文献】
【特許文献】
【０００３】
【特許文献１】特開２０１２−２４５１３０号
【発明の概要】
【発明が解決しようとする課題】
【０００４】
特許文献１に記載されたような吸収体を含む吸収性物品に関し、本願の発明者は、以下のような課題を発見した。着用者の身体は、その部位に応じて、様々な形状（曲率）を有する。したがって、吸収体の高坪量部のサイズが一定であると、吸収性物品が着用者のある部位に適切にフィットしたとしても、吸収性物品が着用者の他の部位にはフィットし難くなるということがある。
【０００５】
また、吸収体の高坪量部のサイズを小さくすることによって、着用者の身体にフィットさせ易くすることも考えられる。しかしながら、高坪量部のサイズを小さくしすぎると、吸収性物品全体が曲がり易くなりすぎる。これにより、吸収性物品がよれてしまい、着用者に不快感を与えてしまう虞がある。
【０００６】
さらに、着用者の安心感のため着用者の臀部に吸収性物品を沿わせることが必要である。特に、着用者の安心感のためには、吸収性物品の後方部が臀部を全体的に包み込むような比較的緩やかなカーブで湾曲することが好ましい。そのためには、吸収性物品の後方部においては、吸収体の高坪量部のサイズを小さくしすぎることは好ましくない。また、寝た姿勢において臀部からの圧力を強く受ける吸収性物品の後方部においては、耐久性の観点からも、吸収体の高坪量部のサイズを小さくしすぎることは好ましくない。
よって、着用者の部位ごとによりフィットし易く、着用者に与える不快感を軽減することができる吸収性物品を提供することが望まれる。
【課題を解決するための手段】
【０００７】
一態様に係る吸収性物品は、互いに直交する前後方向及び幅方向と、着用者の排泄口と対向する排泄口当接域と、前記排泄口当接域よりも後側で、前記幅方向に膨らんだヒップフラップを有する後側域と、少なくとも前記排泄口当接域から及び前記後側域にわたる領域に配置される吸収体と、少なくとも前記排泄口当接域から及び前記後側域にわたる領域において、前記吸収体を複数の区画に分ける複数の溝と、を有する吸収性物品であって、前記吸収性物品は、前記排泄口当接域よりも後側、かつ前記ヒップフラップの最大幅の位置よりも前側で、前記幅方向における前記吸収性物品の幅が最も狭い第１位置と、前記ヒップフラップの最大幅の位置に相当する第２位置と、を有し、前記第１位置上の前記区画の前記前後方向に沿った長さが、前記第２位置上の前記区画の前記前後方向に沿った長さよりも小さく、前記複数の溝のうちの１つとしての中心溝は、前記後側域において、前記幅方向における前記吸収性物品の中心を結ぶ中心線に沿って設けられている。
【発明の効果】
【０００８】
本発明によれば、着用者の部位ごとによりフィットし易く、着用者に与える不快感を軽減することができる吸収性物品を提供することができる。
【図面の簡単な説明】
【０００９】
【図１】一実施形態における吸収性物品の平面図である。
【図２】図１とは反対側から見た吸収性物品の平面図である。
【図３】図１の折り線ＦＬに沿って折り畳まれた吸収性物品の平面図である。
【図４】図３の折り線Ｆ１〜Ｆ３に沿って折り畳まれた吸収性物品の模式的側面図である。
【図５】立った姿勢における使用中の吸収性物品の模式図である。
【図６】寝た姿勢において着用者の臀部が潰れていない仮想的な状態の吸収性物品の模式図である。
【図７】寝た姿勢において着用者の臀部が潰れた状態の吸収性物品の模式図である。
【図８】使用中の吸収性物品の、図１の６Ａ−６Ａ線に沿った模式的断面図である。
【図９】第２実施形態における吸収性物品の平面図である。
【図１０】第３実施形態における吸収性物品の平面図である。
【図１１】第４実施形態における吸収性物品の平面図である。
【図１２】第５実施形態における吸収性物品の平面図である。
【発明を実施するための形態】
【００１０】
以下、図面を参照して、実施形態に係る吸収性物品ついて説明する。吸収性物品は、膣口に沿わせてフィットさせるような生理用ナプキンや失禁パッド等の任意の吸収性物品であってよい。以下の実施形態では、吸収性物品の一例として使い捨ての生理用ナプキンについて説明する。
【００１１】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００１２】
（１）吸収性物品の全体的構成
図１は、一実施形態における吸収性物品の平面図である。図２は、図１とは反対側から見た吸収性物品の平面図である。図５は、立った姿勢における使用中の吸収性物品の模式図である。図６は、寝た姿勢において着用者の臀部が潰れていない仮想的な状態の吸収性物品の模式図である。図７は、寝た姿勢において着用者の臀部が潰れた状態の吸収性物品の模式図である。図８は、使用中の吸収性物品の、図１の６Ａ−６Ａ線に沿った模式的断面図である。
【００１３】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。「肌面側」は、使用時に、着用者の肌に面する側に相当する。「非肌面側」は、使用時に、肌面側とは反対側、すなわち着用者の肌とは反対に向けられる側に相当する。
【００１４】
吸収性物品１は、排泄口当接域Ｓ１、前側域Ｓ２、後側域Ｓ３及び中間域Ｓ４を有する。排泄口当接域Ｓ１は、着用者の排泄口（例えば膣口）に対向する領域である。吸収性物品が下着に装着されたときに、排泄口当接域Ｓ１は、下着の股下部に位置する。つまり、排泄口当接域Ｓ１は、着用者の股下、すなわち着用者の両足の間に配置される領域である。
【００１５】
前側域Ｓ２は、排泄口当接域Ｓ１よりも前側に位置する。前側域Ｓ２の前端縁は吸収性物品１の前端縁９１を規定する。後側域Ｓ３は、排泄口当接域Ｓ１及び中間域Ｓ４よりも後側に位置する。後側域Ｓ３の後端縁は吸収性物品１の後端縁９２を規定する。後側域Ｓ３の前後方向Ｌの長さは、排泄口当接域Ｓ１の前後方向Ｌの長さよりも長くなっていてよい。
【００１６】
中間域Ｓ４は、排泄口当接域Ｓ１と後側域Ｓ３との間の領域である。前後方向Ｌにおける中間域Ｓ４の長さは１０〜５０ｍｍであってよい。
【００１７】
後側域Ｓ３は、前後方向Ｌにおける後側域Ｓ３の中心よりも前側の第１後側域Ｓ３ａと、前後方向Ｌにおける後側域Ｓ３の中心よりも後側の第２後側域Ｓ３ｂと、を含む。
【００１８】
ここで、図５で示すように、中間域Ｓ４は、着用者の股下よりも若干後側に位置する。中間域Ｓ４は、着用者の身体の曲率が比較的高い領域に相当する。このように、着用者の身体の曲率が比較的高い領域は、排泄口当接域Ｓ１の後側で１０〜５０ｍｍの長さを有する領域に相当する。
【００１９】
第１後側域Ｓ３ａは、中間域Ｓ４よりも曲率が低い身体の部分に対向する。また、第２後側域Ｓ３ｂは、第１後側域Ｓ３ａよりもさらに曲率が低い身体の部分に対向する。
【００２０】
排泄口当接域Ｓ１には、ウイング３が設けられていてよい。ウイング３は、使用時に下着のクロッチ部の非肌面側に折り返される。また、後側域Ｓ３には、幅方向Ｗの外側に膨らんだヒップフラップ４が設けられていてよい。ウイング３は、排泄口当接域Ｓ１における後述の吸収コアの外側縁よりも幅方向Ｗの外側に延出している。ヒップフラップ４は、後側域Ｓ３に設けられており、幅方向Ｗに膨らんだ部分である。本実施形態では、ヒップフラップ４は、排泄口当接域Ｓ１における後述の吸収コアの外側縁よりも幅方向Ｗの外側に延出した部分である。この代わりに、ヒップフラップ４に吸収体が設けられていても良い。
【００２１】
ウイング３の前端縁は、ウイング３の付け根によって規定されており、最も幅方向Ｗの内側に窪んだ２つの部分のうち、前側に位置する部分に相当する。ウイング３の前端縁は、排泄口当接域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。ここで、前後方向Ｌにおけるウイング３の前端縁とウイング３の後端縁との間の領域を「ウイング域」と称する。ウイングを有する吸収性物品では、排泄口当接域Ｓ１は、ウイング域と実質的に同じ領域となる。したがって、本明細書において、「排泄口当接域Ｓ１」との語は、「ウイング域」と読み替えることができることに留意すべきである。
【００２２】
以下では、排泄口当接域Ｓ１よりも後側、かつヒップフラップ４の最大幅の位置Ｐ２よりも前側で、幅方向Ｗにおける吸収性物品１の幅が最も狭い位置を、「第１位置Ｐ１」と称する。ウイングを有する吸収性物品においては、第１位置Ｐ１は、前述したウイング３の後端縁に相当する。また、以下では、ヒップフラップの最大幅の位置に相当する位置を、「第２位置Ｐ２」と称する。さらに、第１位置Ｐ１と第２位置との中間位置を、「第３位置Ｐ３」と称する。
【００２３】
吸収性物品１は吸収体３０を有する。吸収体３０は、少なくとも排泄口当接域Ｓ１、中間域Ｓ４及び後側域Ｓ３に設けられている。吸収体３０は、排泄口当接域Ｓ１から前側域Ｓ２まで延びていてもよい。吸収体３０は、透液性の肌面シート１０と不透液性の非肌面シート２０とによって挟まれている。吸収体３０は、液体を吸収する吸収材料を含む吸収コアと、吸収コアを包むコアラップと、を有していてもよい。吸収コアを構成する吸収材料は、例えば、親水性繊維、パルプ及び高吸水性高分子（ＳＡＰ）から形成できる。
【００２４】
肌面シート１０は、表面シート１１とサイドシート１２を含んでいてよい。表面シート１１は、吸収体３０を覆っている。サイドシート１２は、幅方向Ｗにおける表面シート１０の端部から、幅方向Ｗ外側に延びている。サイドシート１２の内側縁１２Ｅは、前後方向Ｌに沿っており、幅方向Ｗの外側に折り返されている。当該折り返されたサイドシート１２間に、前後方向Ｌに伸縮する伸縮性部材９０が配置されている。サイドシート１２の内側縁１２Ｅは、表面シート１１に接合されていない。伸縮性部材９０は、所定の長さに伸張された状態で、サイドシート１２に接合されている。これにより、サイドシート１２の内側縁１２Ｅは、自然状態では、前後方向Ｌに縮められる。このようにして、サイドシート１２の内側縁１２Ｅ及び伸縮性部材９０は、起立性の防漏カフを構成する。
【００２５】
伸縮性部材９０とサイドシート１２との接合部は、伸縮性部材９０の伸縮力を発現する部分である。伸縮性部材９０は、前後方向Ｌの両端部で、サイドシート１２と接合されていない非接合部分を有する。伸縮性部材９０の非接合部分は、伸縮性部材９０の伸縮力を発現できない部分となる。本明細書では、この伸縮性部材９０の伸縮力が発現できない部分を除いた伸縮性部材９０の部分を、伸縮性部材９０の「有効長部分」と呼ぶ。
【００２６】
伸縮性部材９０の有効長部分は、ヒップフラップ４の最大幅の位置Ｐ２よりも前側に配置されていることが好ましい。これにより、ヒップフラップ４の最大幅の位置Ｐ２付近及びそれより後側の領域が、前後方向Ｌに縮むことを抑制することができる。その結果、後側域Ｓ３が着用者の臀部を広く包み込むように変形することができる。
【００２７】
（２）吸収体の詳細構成
吸収体３０は、少なくとも中間域Ｓ４及び後側域Ｓ３において、吸収体３０を複数の区画４０に分ける複数の溝４２を有する。本実施形態では、中間域Ｓ４及び後側域Ｓ３においてのみ、吸収体３０を複数の区画４０に分ける複数の溝４２が形成されている。この代わりに、吸収体３０を複数の区画４０に分ける複数の溝４２は、排泄口当接域Ｓ１及び前側域Ｓ２に設けられていてもよい。
【００２８】
複数の溝４２によって区画された部分は、溝４２よりも目付の大きい高目付部４０を構成する。溝４２は、高目付部４０の目付よりも低い目付を有する。溝４２は、高目付部４０よりも厚みの小さい凹部から形成されていてもよい。また、溝４２は、吸収材料が存在しない部分であってもよい。この場合、溝４２は、吸収材料の目付が実質的に零の領域であり、貫通溝を構成する。
【００２９】
溝４２の部分における吸収材料の目付は、好ましくは１５０ｇ／ｍ２以下、より好ましくは、１００ｇ／ｍ２以下である。また、溝４２における吸収材料の目付は、実質的に０ｇ／ｍ２であることがさらに好ましい。また、溝４２における吸収材料の目付は、高目付部４０の吸収材料の目付の６０％以下であることが好ましく、５０％以下であることがより好ましい。
【００３０】
本実施形態では、複数の溝４２によって区画された高目付部４０は、中間域Ｓ４及び後側域Ｓ３に設けられている。高目付部４０は、吸収体３０の縁に配置されるものを除き、長方形又は正方形状に区画されている。身体の動きに追従しやすくするという観点から、高目付部４０は、同一の領域Ｓ１，Ｓ２，Ｓ３，Ｓ４内では、吸収体３０の縁に存在するものを除き、実質的に同形状であることが好ましい。この代わりに、高目付部４０は、長方形又は正方形状以外の形状を有していてもよい。
【００３１】
溝４２は、前後方向Ｌ及び幅方向Ｗに直線状に形成されていることが好ましい。この代わりに、溝４２は、湾曲又は屈曲した形状を有していてもよい。
【００３２】
図１に示す実施形態の代わりに、同一の領域Ｓ３，Ｓ４内において、互いに異なる形状又は大きさの高目付部４０が存在していても良い。この場合、溝４２は、前後方向Ｌ及び幅方向Ｗに直線状に形成されていなくてもよい。溝４２は、吸収体３０の剛性が変化する境目となる。したがって、溝４２は、吸収体３０の変形の基点となり易い。幅方向Ｗに延びる溝４２は、少なくとも中間域Ｓ４において吸収体３０の一端から他端まで延びていることが好ましい。
【００３３】
本実施形態に係る吸収性物品では、第１位置Ｐ１上の高目付部４０の前後方向Ｌに沿った長さが、第２位置Ｐ２上の高目付部４０の前後方向Ｌに沿った長さよりも小さい。ここで、本明細書において、第１位置Ｐ１又は第２位置Ｐ２上に高目付部４０が無い場合、すなわち第１位置Ｐ１又は第２位置Ｐ２が溝４２に位置する場合、「第１位置Ｐ１上の高目付部４０」及び「第２位置Ｐ２上の高目付部４０」は、それぞれ「第１位置Ｐ１に隣接する高目付部４０」及び「第２位置Ｐ２に隣接する高目付部４０」と解釈するものとする。また、第１位置Ｐ１及び第２位置Ｐ２上の複数の高目付部４０の長さが、互いに異なる場合には、「高目付部４０の前後方向Ｌに沿った長さ」は、「複数の高目付部４０の前後方向Ｌに沿った長さの最大値」のことを意味する。
【００３４】
上記構成により、前後方向Ｌに沿った高目付部４０の長さは、概ね、後側域Ｓ３よりも中間域Ｓ４の方が短くなる。これにより、吸収体３０は、中間域Ｓ４において、前後方向Ｌに変形し易くなる。当該効果をより発揮させるためには、第１位置Ｐ１上のすべての高目付部４０の前後方向Ｌに沿った長さが、第２位置Ｐ２上のすべての高目付部４０の前後方向Ｌに沿った長さよりも小さいことが好ましい。
【００３５】
第１位置Ｐ１を含む中間域Ｓ４は、着用者の脚からの力がかかり易い箇所である。中間域Ｓ４が前後方向Ｌに変形し易くなっていることで、中間域Ｓ４の吸収体３０は着用者の動作に追従して変形することができる。これにより、着用者の動作中であっても、着用者の排泄口付近において、吸収性物品１を身体にフィットさせた状態を維持することができる。
【００３６】
ここで、前後方向Ｌにおける中間域Ｓ４の長さが１０ｍｍ〜５０ｍｍであることにより、特に、着用者の身体の曲率の高い部分に対しても、吸収体３０の中間域Ｓ４をフィットさせ易くなる。
【００３７】
また、後側域Ｓ３では、前後方向Ｌに沿った高目付部４０の長さは、概ね長くなっている。これにより、後側域Ｓ３が全体的に曲がり易くなることを抑制し、後側域Ｓ３のよれを防止することができる。その結果、着用者に与える不快感を軽減することができる。なお、後側域Ｓ３は、比較的曲率の小さい着用者の臀部に対向する領域であるため、高目付部４０のサイズが比較的大きくても着用者の臀部に十分にフィットさせることができる（図５も参照）。
【００３８】
特に、前後方向Ｌにおける後側域Ｓ３の長さが、前後方向Ｌにおける前側域Ｓ２の長さよりも長い夜用の生理用ナプキンにおいては、後側域Ｓ３は、寝た姿勢において、着用者の臀部によって強く潰されるので、吸収体３０のよれが生じ易い。このような後側域Ｓ３の前後方向Ｌの長さを比較的長くすることで、後側域Ｓ３における吸収体のよれを抑制することが特に好ましい。
【００３９】
また、比較的変形し易い中間域の前後方向Ｌの長さが１０ｍｍ以上であるため、排泄口当接域Ｓ１の変形が、後側域Ｓ３へ伝わり難くなる。これにより、排泄口当接域Ｓ１と後側域Ｓ３とが、それぞれ異なる形状に変形し易くなる。これにより、吸収体３０の各領域Ｓ１，Ｓ２，Ｓ３が、着用者の身体の形状に合わせてフィットし易くなる。
【００４０】
複数の溝４２のうちの１つとしての中心溝４２ａは、後側域Ｓ３において、幅方向Ｗにおける吸収性物品の中心を結ぶ中心線ＣＬに沿って設けられている。これにより、幅方向Ｗにおける後側域Ｓ３の中心は、幅方向Ｗにおける外側から内側へ力を受けることによって、凸状に変形する（図８参照）。幅方向Ｗにおける後側域Ｓ３の中心は、着用者の臀裂に対向する。したがって、後側域Ｓ３が着用者の臀裂に合わせてフィットし易くなる。
【００４１】
中心溝４２ａは、後側域Ｓ３において、前後方向Ｌに好ましくは１２０ｍｍ以上、より好ましくは１５０ｍｍ以上の長さを有する。着用者の身体の前後方向Ｌに沿った断面において、臀部間の溝（臀裂）は、会陰部よりも後方から尾てい骨に至る領域に存在する。中心溝４２ａが後側域Ｓ３で上記のように長く延びていることで、吸収性物品の使用中に、後側域Ｓ３は、会陰部よりも後方から尾てい骨に至る領域において、着用者の臀裂に向けて突出することができる。
【００４２】
第１位置Ｐ１上の高目付部４０の前後方向Ｌに沿った長さが、第３位置Ｐ３上の高目付部４０の前後方向Ｌに沿った長さよりも小さい。さらに、第３位置Ｐ３上の高目付部４０の前後方向Ｌに沿った長さが、第２位置Ｐ２上の高目付部４０の前後方向Ｌに沿った長さよりも小さい。本明細書において、第３位置Ｐ３上に高目付部４０が無い場合、すなわち第３位置Ｐ３が溝４２に位置する場合、「第３位置Ｐ３上の高目付部４０」は、「第３位置Ｐ３に隣接する高目付部４０」と解釈するものとする。また、第３位置Ｐ３複数の高目付部４０の長さが、互いに異なる場合には、「高目付部４０の前後方向Ｌに沿った長さ」は、「複数の高目付部４０の前後方向Ｌに沿った長さの最大値」のことを意味する。本構成により、着用者の臀部の背中よりの部分に対向する第２後側域Ｓ３ｂでは、高目付部４０のサイズが比較的大きくなる。したがって、着用者の臀部の背中よりの部分では、吸収性物品１がよれてしまうことを抑制することができ、着用者に安心感を与えることができる。
【００４３】
好ましくは、第１位置Ｐ１上の高目付部４０の面積が、第２位置Ｐ２上の高目付部４０の面積よりも小さい。本明細書において、第１位置Ｐ１又は第２位置Ｐ２上に高目付部４０が無い場合、すなわち第１位置Ｐ１又は第２位置Ｐ２が溝４２に位置する場合、「第１位置Ｐ１上の高目付部４０の面積」及び「第２位置Ｐ２上の高目付部４０の面積」は、それぞれ、「第１位置Ｐ１に隣接する高目付部４０の面積」及び「第２位置Ｐ２に隣接する高目付部４０の面積」と解釈するものとする。また、第１位置Ｐ１又第２位置Ｐ２上の複数の高目付部４０の長さが、互いに異なる場合には、「第１位置Ｐ１上の高目付部４０の面積」及び「第２位置Ｐ２上の高目付部４０の面積」は、それぞれ「第１位置Ｐ１上の高目付部４０の面積の最大値」及び「第２位置Ｐ２上の高目付部４０の面積の最大値」のことを意味する。これにより、概して、中間域Ｓ４における高目付部４０のサイズが、後側域Ｓ３における高目付部４０の面積よりも小さくなる。したがって、吸収体３０は、中間域Ｓ４において、前後方向Ｌ及び幅方向Ｗにより変形し易くなり、中間域Ｓ４の吸収体３０を着用者の動作に追従してより変形し易くすることができる。
【００４４】
吸収体３０の高目付部４０は、すべて同一の厚みを有していてもよく、互いに異なる厚みを有していてもよい。また、排泄口当接域Ｓ１において、後述する一対の前側圧搾部８１に挟まれた領域に存在する吸収体の厚みは、中間域Ｓ４及び後側域Ｓ３における高目付部４０の厚みよりも厚くてもよい。排泄口当接域Ｓ１は着用者の排泄口に対向する領域であるため、排泄口当接域Ｓ１の吸収体の厚みを厚くすることで、着用者の排泄口に吸収体をフィットさせ易くすることができる。
【００４５】
上記のように吸収体の厚みが厚い部分を、以下では、「中高部」と称する。一対の前側圧搾部８１に挟まれた領域に中高部が存在する場合、中高部には、溝４２が形成されていなくてもよい。これにより、排泄口当接域Ｓ１をより着用者の肌へ密着させ易くすることができる。
【００４６】
本明細書において、高目付部４０の長さは、吸収性物品１の皺がなくなるまで吸収性物品１を引き延ばした状態で、定規によって測定される。
【００４７】
図６は、図５に示す断面図を９０度回転させた状態であり、着用者が仰向けに寝た状態を示している。着用者が仰向けに寝た状態は、寝具によって着用者の身体が押圧されるが、図６においては、説明の便宜上、寝具によって着用者の身体が押圧されていない仮想的な状態を示している。図６に、寝具を示すラインＬＢを図示する。寝具のラインＬＢと身体が重なっている領域は、身体が寝具によって押圧され、身体が寝た状態で変形する領域である。図７は、仰向けに寝た着用者の身体が寝具によって押圧されて変形した状態を示している。図７に示す状態では、図６において身体と寝具のラインと重なっている領域が変形している。より詳細には、着用者の臀部の膨らみが潰れ、着用者の臀部の一部が平坦な形状である。臀部の潰れた部分は、股下側（図７の左方向）に移動し、脚の付け根から脚先側に膨らむ。中間域Ｓ４が臀部の潰れた部分に配置される。中間域Ｓ４の高目付部４０は前述したように比較的小さくなっているため、中間域Ｓ４が、臀部の膨らみが潰れた部分に沿って柔軟に変形し、臀部の潰れた部分に沿って配置される。これにより、寝た姿勢においても吸収性物品１が体にフィットし、吸収性物品１と着用者の臀部との間に隙間が生じることを抑制できる。その結果、着用者に与える違和感を軽減することができる。
【００４８】
（３）圧搾部
吸収性物品１は、少なくとも吸収体３０が厚み方向Ｔに圧縮されることによって形成された圧搾部を有する。この圧搾部は、前側圧搾部８１と一対の長手圧搾部８２とを有していてよい（図１参照）。前側圧搾部８１及び長手圧搾部８２は、肌面シート１０と吸収体３０とが厚み方向Ｔに圧縮された部分であってもよい。
【００４９】
前側圧搾部８１は、少なくとも排泄口当接域Ｓ１に設けられており、前後方向Ｌに沿って延びている。前側圧搾部８１は、排泄口当接域Ｓ１から前側域Ｓ２へ延びていてもよい。前側圧搾部８１は、吸収体３０の前端縁付近で幅方向Ｗに向かって曲がっており、Ｕ字型に連続的に繋がっている。この代わりに、前側圧搾部８１は、幅方向における吸収性物品の中心を結ぶ中心線ＣＬを挟んで両側に、別個に設けられていてもよい。すなわち、一対の前側圧搾部８１が、互いに分断された形態で、別個に設けられていてもよい。
【００５０】
一対の前側圧搾部８１は、前側域Ｓ１において、幅方向Ｗの内側に括れた括れ８１ａを有していてよい。括れ８１ａは、図１に示す形態よりも、より内側へ括れた形状を有していてもよい。これにより、排泄口当接域Ｓ１を着用者の排泄口に向けて凸に変形させたとしても、前側域Ｓ１を比較的平坦な形状に維持することができる。これにより、着用者の排泄口よりも前側の領域においても、吸収性物品１を着用者の身体にフィットさせ易くすることができる。
【００５１】
着用者が、生理用ナプキンのような吸収性物品が取り付けられたショーツを履いたとき、排泄口当接域Ｓ１は、着用者の両脚から、吸収性物品を幅方向Ｗに圧縮するような力を受ける。この力は、排泄口当接域Ｓ１に設けられた前側圧搾部８１にかかる。前側圧搾部８１は、吸収体３０が圧搾されていない部分の剛性よりも高い剛性を有する。そのため、幅方向外側Ｗから内側へ向けた力を受けた前側圧搾部８１は、排泄口当接域Ｓ１の中央部の吸収体３０を幅方向に圧縮する。これにより、排泄口当接域Ｓ１の中央部の吸収体３０が着用者の身体と密着するように凸状に変形する。
【００５２】
長手圧搾部８２は、前後方向Ｌに沿って延びている。長手圧搾部８２は、前後方向Ｌに直線的に延びていてもよいし、前後方向Ｌに対して傾斜して曲線的に延びていてもよい。長手圧搾部８２は、第１後側域Ｓ３ａから第２後側域Ｓ３ｂにわたって延びていてよい。
【００５３】
一対の長手圧搾部８２は、後側域Ｓ３で、中心線ＣＬ、より具体的には中心溝４２ａを挟んで両側に設けられている。一対の長手圧搾部８２は、比較的剛性が高いため、吸収体３０の変形の基点となる。一対の長手圧搾部８２の間に挟まれた中心溝４２ａは、より着用者の身体側に向けて突出し易くなる。これにより、吸収性物品の後側域Ｓ３を着用者の臀裂に合わせてよりフィットさせることができる（図８参照）。
【００５４】
前側圧搾部８１と長手圧搾部８２は、第１位置Ｐ１上の高目付部４０のところ、好ましくは中間域Ｓ４のところで互いに分断されている。前側圧搾部８１と長手圧搾部８２とが中間域Ｓ４のところで分断されているため、前側圧搾部８１にかかる力が圧搾部を介して後側域Ｓ３へ伝わることが抑制される。これにより、排泄口当接域Ｓ１と後側域Ｓ３とを独立に変形させ易くすることができる。また、比較的剛性が高い前側圧搾部８１及び長手圧搾部８２が中間域Ｓ４のところで分断されているため、吸収体３０は中間域Ｓ４のところで、比較的自由に変形することができる。これにより、排泄口当接域Ｓ１と後側域Ｓ３とをより独立に変形させ易くすることができる。
【００５５】
吸収性物品１は、溝４２に沿って吸収体３０を圧縮した圧着部５１を有していてよい。圧着部５１は、エンボス加工によって形成することができる。圧着部５１は、吸収体３０のみに形成されており、肌面シート１０には形成されていないことが好ましい。具体的には、溝４２が貫通溝である場合、圧着部５１は、吸収材料からなる吸収コアを包むコアラップに形成されていてよい。また、溝４２が貫通溝でない場合、圧着部５１は、吸収材料からなる吸収コアを包むコアラップと吸収材料とに形成されていてよい。圧着部５１が肌面シート１０に形成されていないことにより、着用者の肌に触れる肌面シート１０の肌触りを向上させることができる。
【００５６】
圧着部５１は、少なくとも第１位置Ｐ１上の高目付部４０に隣接する幅方向Ｗに沿った溝４２上に設けられていてよい。好ましくは、圧着部５１は、中間域Ｓ４において、幅方向Ｗに沿って設けられている。圧着部５１は、排泄口当接域Ｓ１、前側域Ｓ２及び後側域Ｓ４における溝４２上に設けられていてもよい。さらに、圧着部５１は、前後方向Ｌに沿って延びる溝４２上に設けられていてもよい。
圧着部５１は、高目付部４０の吸収材料の形状が崩れることを抑制する。これにより、高目付部４０の形状を長期間にわたって維持することができる。
【００５７】
（４）粘着領域
図２に示すように、吸収性物品１は、吸収性物品１を下着Ｓに止めるための粘着剤が設けられた第１本体粘着領域６１、第２本体粘着領域６２、ウイング粘着領域６３及びヒップフラップ粘着領域６４を有する。これらの粘着領域６１〜６４は、吸収体３０よりも非肌面側に設けられた非肌面シート２０の非肌面側に設けられている。粘着領域６１〜６４は、使用前の状態において、剥離シートによって覆われていてもよい。剥離シートは、使用前に粘着領域６１〜６４の粘着剤の劣化を防止する。剥離シートは、使用時に、着用者によって取り外される。
【００５８】
第１本体粘着領域６１は、第２本体粘着領域６２よりも前方に配置されている。第１本体粘着領域６１及び第２本体粘着領域６２は、前後方向Ｌに延びている。第１本体粘着領域６１は、排泄口当接域Ｓ１と前側域Ｓ２に跨って配置されていてよい。第２本体粘着領域６２は後側域Ｓ３に配置されている。第２本体粘着領域６２は、第１後側域Ｓ３ａと第２後側域Ｓ３ｂに跨がって配置されていてよい。
【００５９】
第１本体粘着領域６１及び第２本体粘着領域６２は、排泄口当接域Ｓ１及び後側域Ｓ３で、第１位置Ｐ１上の高目付部４０、特に中間域Ｓ４を避けて設けられている。具体的には、中間域Ｓ４に粘着領域６１〜６４が設けられていないことが好ましい。中間域Ｓ４が粘着領域６１〜６４でショーツに直接固定されないため、吸収性物品は、中間域Ｓ４のところで比較的自由に変形することができる。これにより、排泄口当接領域Ｓ１と後側域Ｓ３とを着用者の身体の形状に合わせて互いに異なる形状に変形させることができる（図５も参照）。
【００６０】
また、第１本体粘着領域６１及び第２本体粘着領域６２は、中心溝４２ａのところに存在しない。これにより、後側域Ｓ３は、中心溝４２ａのところで凸状に変形し易い。特に、下着から粘着領域６１，６２を介して幅方向の内側から外側に向かう力を受けることによって、後側域Ｓ３は、中心溝４２ａのところで凸状に変形し易い。これにより、吸収性物品の後側域Ｓ３を着用者の臀裂に合わせてよりフィットさせることができる。
【００６１】
ウイング粘着領域６３はウイング３に設けられている。ヒップフラップ粘着領域６４はヒップフラップ４に設けられている。一対の長手圧搾部８２は、第２本体粘着領域６２と重なる領域に設けられていることが好ましい。これにより、下着から第２本体粘着領域６２を介して一対の長手圧搾部８２へ力が伝わり易くなる。これにより、一対の長手圧搾部８２が吸収体３０を幅方向Ｗへ圧縮し易くなり、吸収体３０は中心溝４２ａのところで凸状により変形し易くなる。
【００６２】
（５）吸収性物品の折り畳み
吸収性物品１は、折り畳まれた状態で個別に包装されていてもよい。以下、図１〜４を参照し、吸収性物品１の折り畳みについて説明する。図３は、図１及び図２の折り線ＦＬに沿って折り畳まれた吸収性物品１の平面図である。図４は、図３の折り線Ｆ１〜Ｆ３に沿って折り畳まれた吸収性物品１の模式的側面図である。
【００６３】
吸収性物品１は、前後方向Ｌに沿って延びる前後折り線ＦＬと、幅方向Ｗに沿って延びる第１折り線Ｆ１、第２折り線Ｆ２及び第３折り線Ｆ３と、を有していてよい。これらの折り線ＦＬ，Ｆ１，Ｆ２，Ｆ３は、吸収性物品１を折り畳むためのラインである。前後折り線ＦＬは、幅方向Ｗにおける吸収体３０の外側端よりも外側に設けられていてよい。
【００６４】
第１折り線Ｆ１は、幅方向Ｗに沿った複数の折り線Ｆ１，Ｆ２，Ｆ３のうちの最も後側に位置する。第１折り線Ｆ１は、後側域Ｓ３において、吸収体の溝４２上を通っていることが好ましい。第１折り線Ｆ１は、吸収体の高目付部４０を通っていないことがより好ましい。第１折り線Ｆ１は、吸収性物品１に対して折り癖を生じさせる。したがって、吸収性物品１は、第１折り線Ｆ１に沿って変形し易くなる。第１折り線Ｆ１は、後側域Ｓ３を着用者の臀部の前後方向における丸みに沿って変形し易くする。そのため、後側域Ｓ３が着用者の臀部の丸みに沿ってフィットし易くなる。
【００６５】
第１折り線Ｆ１は、ヒップフラップ粘着領域６４を通らないことが好ましい。これにより、ヒップフラップ粘着領域６４に折り癖が付くことを防止することができる。ヒップフラップ粘着領域６４に折り癖が付くと、下着に粘着させたヒップフラップ粘着領域６４が、折り癖によって剥がれ易くなってしまう。これに対し、第１折り線Ｆ１がヒップフラップ粘着領域６４を通らないことで、下着にヒップフラップ４を安定して止着させることができる。
【００６６】
第２折り線Ｆ２は、前後方向Ｌにおいて、第１折り線Ｆ１と第３折り線Ｆ３との間に設けられている。第２折り線Ｆ２は、第２折り線Ｆ２は、一対の長手圧搾部８２よりも前側に配置されていてもよい。第２折り線Ｆ２は、第２本体粘着領域６２上を通っていてもよい。
【００６７】
図１に示す例では、第２折り線Ｆ２は、横方向Ｗに延びた溝４２から離れた位置に設けられている。この代わりに、第２折り線Ｆ２は、横方向Ｗに延びた溝４２上に設けられていてもよい。この場合、吸収性物品１を第２折り線Ｆ２の位置で折り易いという利点がある。また、吸収体３０の溝４２の位置は、吸収性物品の使用中にも折り基点になり易いところであるため、第２折り線Ｆ２による折り癖が溝４２上に付いていたとしても、吸収性物品のフィット性を低下させることもない。
【００６８】
第３折り線Ｆ３は、第２折り線Ｆ２よりも前側に設けられている。第３折り線Ｆ３は、前側域Ｓ２に設けられていてよい。第３折り線Ｆ３がウイング３よりも前側に設けられていていることで、ウイング３に折り癖がつくことを防止することができる。
【００６９】
吸収性物品１は、まず、非肌面側が外側に露出するように、前後折り線ＦＬを基点に内側に折り畳まれる（図３参照）。図３に示す状態から、吸収性物品１は、第１折り線Ｆ１、第２折り線Ｆ２及び第３折り線Ｆ３の順で折り畳まれることが好ましい（図４参照）。
【００７０】
吸収性物品１が折り畳まれた状態において、吸収性物品の後側縁９２は、吸収性物品の内部に位置する。吸収性物品１が折り畳まれた状態において、吸収性物品の前側縁９１は、吸収性物品の外側に位置する。また、第１折り目Ｆ１は、折り畳まれた吸収性物品１の内部に位置する。第２折り目Ｆ２及び第３折り目Ｆ３は、折り畳まれた吸収性物品１の外側に位置する。
【００７１】
上記のように吸収性物品１が折り畳まれた場合、吸収性物品１の曲率は、第１折り目Ｆ１のところで最も大きくなる。この曲率が最も高い第１折り目Ｆ１の位置が溝４２上を通っていることで、吸収性物品１を綺麗に折ることができる。一方で、吸収性物品１の曲率は、第２折り目Ｆ２及び第３折り目Ｆ３のところでは、比較的小さい。そのため、第２折り目Ｆ２及び第３折り目Ｆ３は、溝４２上を通っていなくても、比較的綺麗に吸収性物品１を折ることができる。
【００７２】
図１に示す例では、前後方向Ｌに沿った前後折り線ＦＬは、吸収体３０よりも幅方向Ｗの外側に位置する。この代わりに、前後折り線ＦＬは、吸収体３０上を通っていてもよい。前後折り線ＦＬが吸収体３０上を通ることで、吸収性物品１をよりコンパクトに折り畳むことができる。
【００７３】
また、前後折り線ＦＬが吸収体３０上を通る場合、前後折り線ＦＬは、前後方向Ｌに沿った溝４２上を通っていることが好ましい。これにより、吸収性物品１を前後折り線ＦＬの位置で折り易くすることができる。
【００７４】
（６）第２実施形態
図９は、第２実施形態における吸収性物品の平面図である。第２実施形態において、第１実施形態と同一の構成については、同一の符号が付されている。また、以下では、第１実施形態と同一の構成についての説明は省略することがある。
【００７５】
第２実施形態に係る吸収性物品１は、第１実施形態と同様に、複数の高目付部４０及び複数の溝４２を有する。第２実施形態では、中間域Ｓ４及び後側域Ｓ３だけでなく、排泄口当接域Ｓ１及び前側域Ｓ２にも、吸収体３０を複数の区画４０に分ける複数の溝４２が形成されている。第２実施形態では、幅方向Ｗにおける高目付部４０の長さが、幅方向の中心よりも外側の方で長くなっている。
【００７６】
図９に示す例では、吸収体３０は、最も中心線ＣＬに近い領域Ｒ１と、最も幅方向外側の領域Ｒ３と、領域Ｒ１と領域Ｒ２との間の領域Ｒ２と、に区分される。ここで、最も中心線ＣＬに近い領域Ｒ１内の高目付部４０の幅方向Ｗの長さは、領域Ｒ２内の高目付部４０の幅方向Ｗの長さよりも短い。また、領域Ｒ２内の高目付部４０の幅方向Ｗの長さは、最も幅方向外側の領域Ｒ３の高目付部４０の幅方向Ｗの長さよりも短い。
【００７７】
第２実施形態では、高目付部４０は、各領域Ｒ１、Ｒ２、Ｒ３で長方形又は正方形状に区画されている。また、溝４２は、前後方向Ｌ及び幅方向Ｗに直線状に形成されている。高目付部４０は、同一の領域Ｒ１、Ｒ２、Ｒ３内では、吸収体３０の縁に存在するものを除き、実質的に同形状であることが好ましい。図９に示す実施形態の代わりに、同一の領域Ｒ１、Ｒ２、Ｒ３内において、互いに異なる形状又は大きさの高目付部４０が存在していても良い。この場合、最も中心線ＣＬに近い領域Ｒ１内の複数の高目付部４０の幅方向Ｗの長さは、領域Ｒ２内の複数の高目付部４０の幅方向Ｗの長さよりも短いことが好ましい。また、領域Ｒ２内の複数の高目付部４０の幅方向Ｗの長さは、最も幅方向外側の領域Ｒ３の複数の高目付部４０の幅方向Ｗの長さよりも短いことが好ましい。
【００７８】
上記のように、幅方向Ｗに沿った高目付部４０の長さは、中心線ＣＬに近くなるほど概ね長くなる。これにより、吸収性物品の中心線ＣＬ付近の領域が変形し易くなる。吸収性物品の中心線ＣＬ付近の領域は、着用者の排泄口や臀裂のように比較的曲率の高い部分に対向する。したがって、吸収性物品の中心線ＣＬ付近の領域を変形し易くすることにより、吸収性物品１を着用者の身体によりフィットさせ易くすることができる。
【００７９】
（７）第３実施形態
図１０は、第３実施形態における吸収性物品の平面図である。第３実施形態において、第１実施形態と同一の構成については、同一の符号が付されている。また、以下では、第１実施形態と同一の構成についての説明は省略することがある。
【００８０】
第３実施形態に係る吸収性物品１は、第１実施形態と同様に、複数の高目付部４０及び複数の溝４２を有する。第３実施形態では、中間域Ｓ４及び後側域Ｓ３だけでなく、排泄口当接域Ｓ１及び前側域Ｓ２にも、吸収体３０を複数の区画４０に分ける複数の溝４２が形成されている。第３実施形態では、中間域Ｓ４における高目付部４０の幅方向Ｗの長さが、後側域Ｓ３における高目付部４０の幅方向Ｗの長さよりも短くなっている。
【００８１】
高目付部４０は、同一の領域Ｓ１，Ｓ２，Ｓ３ａ，Ｓ３ｂ内では、吸収体３０の縁に存在するものを除き、実質的に同形状であることが好ましい。図１０に示す実施形態の代わりに、同一の領域Ｓ１，Ｓ２，Ｓ３ａ，Ｓ３ｂ内において、互いに異なる形状又は大きさの高目付部４０が存在していても良い。この場合、中間域Ｓ４における複数の高目付部４０の幅方向Ｗの長さが、後側域Ｓ３における複数の高目付部４０の幅方向Ｗの長さよりも短くなっていることが好ましい。
【００８２】
また、第１後側域３ａにおける複数の高目付部４０の幅方向Ｗの長さが、第２後側域３ｂにおける複数の高目付部４０の幅方向Ｗの長さよりも短くなっていることがより好ましい。
【００８３】
第３実施形態に係る吸収性物品１では、中間域Ｓ４の高目付部４０のサイズが比較的小さくなるため、中間域Ｓ４がより変形し易くなる。これにより、着用者の比較的曲率の高い部分に対して中間域Ｓ４をよりフィットさせ易くすることができる。
【００８４】
また、後側域Ｓ３の高目付部４０のサイズは比較的大きくなっている。これにより、後側域Ｓ３が全体的に曲がり易くなりすぎることを抑制し、後側域Ｓ３のよれを防止することができる。その結果、着用者に与える不快感を軽減することができる。なお、後側域Ｓ３は、比較的曲率の小さい着用者の臀部に対向する領域であるため、高目付部４０のサイズが比較的大きくても着用者の臀部に十分にフィットさせることができる（図５も参照）。
【００８５】
（８）第４実施形態
図１１は、第４実施形態における吸収性物品の平面図である。第４実施形態において、第１実施形態と同一の構成については、同一の符号が付されている。また、以下では、第１実施形態と同一の構成についての説明は省略することがある。
【００８６】
第４実施形態に係る吸収性物品１は、第１実施形態と同様に、複数の高目付部４０及び複数の溝４２を有する。複数の溝４２のうちの１つとしての中心溝４２ａは、後側域Ｓ３において、中心線ＣＬに沿って設けられている。
【００８７】
第４実施形態では、幅方向Ｗにおける中心溝４２ａの幅は、後側域Ｓ３から中間域Ｓ４に向かうにつれて広くなっている。これにより、中心溝４２ａの幅が広い部分、すなわち、第１後側域Ｓ３ａ及び中間域Ｓ４では、吸収体３０の中心線ＣＬ付近が着用者の臀裂に向けて突出し易くなる。一方で、中心溝４２ａの幅が狭い部分、すなわち、第２後側域Ｓ３ｂの後側部分は、吸収体３０の中心線ＣＬ付近が着用者に向けて突出し難く、比較的平坦になり易くなる。第２後側域Ｓ３ｂの後側部分は、着用者の臀裂よりも背中側の仙骨付近の領域に対向する。したがって、第２後側域Ｓ３ｂの後側部分が比較的平坦になることで、着用者の身体にフィットし易くなる。
【００８８】
（９）第５実施形態
図１２は、第５実施形態における吸収性物品の平面図である。図１２は、吸収性物品の、粘着領域６１〜６４が設けられている方の一面を示している。第５実施形態において、第１実施形態と同一の構成については、同一の符号が付されている。また、以下では、第１実施形態と同一の構成についての説明は省略することがある。
【００８９】
第５実施形態に係る吸収性物品１は、第１実施形態と同様に、第１本体粘着領域６１、第２本体粘着領域６２、ウイング粘着領域６３及びヒップフラップ粘着領域６４を有する。
【００９０】
第１本体粘着領域６１は、少なくとも排泄口当接域Ｓ１に配置されている。第１本体粘着領域６１は、前側域Ｓ２にも配置されていてよい。第２本体粘着領域６２は後側域Ｓ３に配置されている。第５実施形態では、第１本体粘着領域６１及び第２本体粘着領域６２は、前後方向Ｌに複数の区画に分断されている。
【００９１】
これにより、下着から各々の第１本体粘着領域６１及び第２本体粘着領域６２を介して、各々の高目付部４０へ個別に力を伝えることができる。これにより、身体の形状の違いに応じて、吸収性物品の各領域を身体の形状に合わせて変形させることができる。このような変形を助長させるため、第１本体粘着領域６１及び第２本体粘着領域６２は、少なくとも排泄口当接域Ｓ１及び後側域Ｓ３において、前後方向Ｌにおける各高目付部４０に応じて設けられることが好ましい。また、第１本体粘着領域６１及び第２本体粘着領域６２は、幅方向Ｗに延びた溝４２上にはなく、互いに隣接する幅方向Ｗに沿った溝４２どうしの間に設けられることが好ましい。
【００９２】
第１本体粘着領域６１及び第２本体粘着領域６２は、第１位置Ｐ１上の高目付部４０、好ましくは中間域Ｓ４を避けて設けられている。言い換えると、第１本体粘着領域６１及び第２本体粘着領域６２は、中間域Ｓ４に設けられていないことが好ましい。また、第１本体粘着領域６１及び第２本体粘着領域６２は、中心溝４２ａのところに存在しない。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９４】
１        ：吸収性物品
１０      ：肌面シート
２０      ：非肌面シート
３０      ：吸収体
４０      ：区画（高目付部）
４２      ：溝（低目付領域）
４２ａ    ：中心溝
５１      ：圧着部
６１      ：第１本体粘着領域
６２      ：第２本体粘着領域
６３      ：ウイング粘着領域
６４      ：ヒップフラップ粘着領域
８１      ：前側圧搾部
８２      ：長手圧搾部
Ｌ        ：前後方向
Ｗ        ：幅方向
Ｔ        ：厚み方向
Ｓ１      ：排泄口当接域
Ｓ２      ：前側域
Ｓ３      ：後側域
Ｓ３ａ    ：第１後側域
Ｓ３ｂ    ：第２後側域
Ｓ４      ：中間域
ＣＬ      ：中心線
【図１】
2017086599.tif 000003
【図２】
2017086599.tif 000004
【図３】
2017086599.tif 000005
【図４】
2017086599.tif 000006
【図５】
2017086599.tif 000007
【図６】
2017086599.tif 000008
【図７】
2017086599.tif 000009
【図８】
2017086599.tif 000010
【図９】
2017086599.tif 000011
【図１０】
2017086599.tif 000012
【図１１】
2017086599.tif 000013
【図１２】
2017086599.tif 000014
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
着用者の排泄口と対向する排泄口当接域と、
前記排泄口当接域よりも後側で、前記幅方向に膨らんだヒップフラップを有する後側域と、
少なくとも前記排泄口当接域から前記後側域にわたる領域に配置される吸収体と、
少なくとも前記排泄口当接域から前記後側域にわたる領域において、前記吸収体を複数の区画に分ける複数の溝と、を有する吸収性物品であって、
前記吸収性物品は、前記排泄口当接域よりも後側、かつ前記ヒップフラップの最大幅の位置よりも前側で、前記幅方向における前記吸収性物品の幅が最も狭い第１位置と、前記ヒップフラップの最大幅の位置に相当する第２位置と、を有し、
前記第１位置上の前記区画の前記前後方向に沿った長さが、前記第２位置上の前記区画の前記前後方向に沿った長さよりも小さく、
前記複数の溝のうちの１つとしての中心溝は、前記後側域において、前記幅方向における前記吸収性物品の中心を結ぶ中心線に沿って設けられている、吸収性物品。
【請求項２】
前記第１位置上の前記区画の面積が、前記第２位置上の前記区画の面積のよりも小さい、請求項１に記載の吸収性物品。
【請求項３】
前記吸収性物品は、前記第１位置と第２位置との中間に位置する第３位置を有し、
前記第１位置上の前記区画の前記前後方向に沿った長さが、前記第３位置上の前記区画の前記前後方向に沿った長さよりも小さく、
前記第３位置上の前記区画の前記前後方向に沿った長さが、前記第２位置上の前記区画の前記前後方向に沿った長さよりも小さい、請求項１又は２に記載の吸収性物品。
【請求項４】
前記吸収体よりも非肌面側に設けられた非肌面シートと、
前記非肌面シートの非肌面側に設けられた粘着領域と、を有し、
前記粘着領域は、前記排泄口当接域及び前記後側域で、前記第１位置上の前記区画を避けて設けられている、請求項１から３のいずれか１項に記載の吸収性物品。
【請求項５】
前記吸収性物品は、前記吸収性物品を折り畳むための複数の折り線を有し、
前記複数の折り線のうちの最も後側に位置する折り線は、前記後側域において、前記溝上を通っている、請求項１から４のいずれか１項に記載の吸収性物品。
【請求項６】
前記吸収体は、前記後側域において前記中心溝を挟んで両側に設けられた一対の長手圧搾部を有する、請求項１から５のいずれか１項に記載の吸収性物品。
【請求項７】
前記吸収体は、前記排泄口当接域において前記前後方向に沿って延び、前記中心線を挟んで両側に設けられた一対の前側圧搾部を有し、
前記前側圧搾部と前記長手圧搾部は、前記第１位置上の前記区画のところで分断されている、請求項６に記載の吸収性物品。
【請求項８】
前記吸収性物品は、少なくとも前記第１位置上の前記区画に隣接する前記幅方向に沿った溝上に設けられた圧着部を有する、請求項１から７のいずれか１項に記載の吸収性物品。